(57)【要約】  【課題】水の溜まりを無くす植物栽培装置を提供する。  【課題を解決するための手段】窓２２の下側にある外壁１０に容器１２を設置する。容器１２内に用土６８やつる植物１５６を載せる台座６０を設ける。台座６０を構成する棚板６４に複数の貫通穴６６を設ける。容器１２の底プレート部１４に排水口２８を開設し、この排水口２８が下方に位置するように底プレート部１４を傾斜させる。【選択図】図２
2017112966.tif 000002
【特許請求の範囲】
【請求項１】
窓下の外壁に設置される植物栽培装置であって、
窓の幅方向に延び、植物を載せる台座と、
前記台座の下方に配置され、排水口を有する水受けと、
を備え、
前記台座には、水抜きが形成されており、
前記水受けは、前記水抜きの下方に設けられ、前記排水口に向かって下方に傾斜する傾斜部を有することを特徴とする植物栽培装置。
【請求項２】
前記排水口に一端が接続され、前記外壁に設けられた竪樋に他端が接続される排水管を備える請求項１に記載の植物栽培装置。
【請求項３】
前記台座の上方に配置され、前記植物に散水する散水装置を備える請求項１または請求項２に記載の植物栽培装置。
【発明の詳細な説明】
【技術分野】
【０００１】
本発明は、窓辺を緑化する装置に関し、特に窓外において植物を栽培する装置に関する。
【背景技術】
【０００２】
従来より、窓外に設置されて、窓辺の緑化を図るフラワーボックスなどの花台が知られている。例えば、特許文献１には、外壁に設置された架台に栽培槽を載せた緑化システムが記載されている。栽培槽は、その内部空間が仕切板によって上下に仕切られており、上側の空間にはつる性植物が植えられている。下側の空間は貯水槽となっており、その水はポンプによって上側の空間に汲み上げられて、散水される。このような栽培槽の上方に、窓面を覆うネットが設置されており、つる性植物が成長するに従って、窓面が緑で覆われてゆく。このようにして窓面の緑化を図っている。
【０００３】
しかしながら、屋外にある貯水槽に、長期にわたって水が溜められると、蚊やハエなどの害虫が発生する原因となる。また、衛生的にも好ましくない。
【０００４】
ここで、特許文献２には、屋外で用いられる栽培装置において、水を排水する技術が記載されている。この栽培装置は、植物が植えられている容器を収納する桶状ボックスを有している。桶状ボックスは、建物の外壁に設置されており、その底部には、桶状ボックスに溜まった水を排水する排水口が設けられている。
【先行技術文献】
【特許文献】
【０００５】
【特許文献１】実用新案登録第３１９６７１０号公報
【特許文献２】特許第５１４９８５７号公報
【発明の概要】
【発明が解決しようとする課題】
【０００６】
しかしながら、排水口の縁周りは上方に突出しているため、依然として一定量の水が底部に溜まるようになっており、上記のような害虫の発生源となったり、不衛生になるおそれがある。
【０００７】
本発明は、上記した課題に鑑み、水の溜まりを無くす植物栽培装置を提供することを目的とする。
【課題を解決するための手段】
【０００８】
上記の目的を達成するため、本発明に係る植物栽培装置は、窓下の外壁に設置される植物栽培装置であって、窓の幅方向に延び、植物を載せる台座と、前記台座の下方に配置され、排水口を有する水受けと、を備え、
前記台座には、水抜きが形成されており、前記水受けは、前記水抜きの下方に設けられ、前記排水口に向かって下方に傾斜する傾斜部を有することを特徴とする。
【０００９】
また、植物栽培装置は、前記排水口に一端が接続され、前記外壁に設けられた竪樋に他端が接続される排水管を備えることを特徴とする。
【００１０】
また、前記台座の上方に配置され、前記植物に散水する散水装置を備えることを特徴とする。
【発明の効果】
【００１１】
本発明の植物栽培装置は、建物の外壁に設置されるので、雨に晒される。台座上の植物に多量の雨が注がれたときには、雨水は水抜きを通って、水受けに落ちる。水受けに落ちた雨水は、傾斜部を伝って排水口から排出される。よって、本発明によれば、植物の成育に不要な水を積極的に排出することができ、水溜まりが生じない。よって、害虫の発生を防止でき、衛生的である。
【図面の簡単な説明】
【００１２】
【図１】実施形態に係る植物栽培装置の使用態様を示す図である。
【図２】上記植物栽培装置の断面図である。
【図３】上記植物栽培装置の正面図である。
【図４】上記植物栽培装置に用いられる散水制御手段のブロック図である。
【図５】他の実施形態に係る植物栽培装置の断面図である。
【図６】上記他の実施形態に係る植物栽培装置の正面図である。
【発明を実施するための形態】
【００１３】
以下、図面を参照しながら本発明の実施形態について説明する。
【００１４】
実施形態に係る植物栽培装置１は、図１〜図３に示すように、窓下の外壁１０に設置される容器１２を備えている。容器１２は、底プレート部１４、後プレート部１６、前プレート部１８、及び一対の横プレート部２０を有している。
【００１５】
底プレート部１４は、窓２２の幅方向に長い方形であって、短縁の一方２４が他方２６よりも低くなるように、傾斜している。また、底プレート部１４には、短縁の一方２４の近傍に排水口２８が開設されている。
【００１６】
一対の横プレート部２０は、底プレート部１４の短縁の各々２４，２６から鉛直方向に延出し、各々の上端は同一高さとなっている。
【００１７】
後プレート部１６は、底プレート部１４の後側長縁３０から鉛直方向に延出しており、上端が横プレート部２０の上端と同一高さとなっている。よって、後プレート部１６は、斜辺が下向きの台形となっている。
【００１８】
前プレート部１８は、底プレート部１４の前側長縁３２から鉛直方向に延出しており、上部が後プレート部１６の上部よりも上方に延出している。よって、前プレート部１８は、斜辺が下向きの台形であって、その上底と下底が後プレート部１６よりも長くなっている。
【００１９】
上記のように、容器１２は窓２２の幅方向に長く形成されている。容器１２は、例えば、所定の形状にプレス切断されたアルミニウム合金板を折り曲げて、前プレート部１８、横プレート部２０、後プレート部１６、及び底プレート部１４を形成し、さらに、各プレート部１４，１６，１８，２０の端部同士を溶接することにより作られる。
【００２０】
後プレート部１６を外壁１０に向けた容器１２は、Ｔ字脚金具３６およびＬ字脚金具３８を介して外壁１０に設置される。Ｔ字脚金具３６は、後プレート部１６に溶接により接合される平板状の接合部４０、及び接合部４０の中心から外壁１０に向かって延出する平板状の連結部４２を有している。このＴ字脚金具３６が、後プレート部１６の長手方向に所定の間隔を開けて複数個所に設けられている。
【００２１】
Ｌ字脚金具３８は、外壁１０に固定される平板状の被固定部４４、及び被固定部４４の一端から前方に向かって延出する平板状の被連結部４６を有している。被固定部４４には複数の貫通穴４８が開設されており、外壁１０に設けられたアンカーボルト５０が当該貫通穴４８に挿通される。このアンカーボルト５０にナット５２が取り付けられることで、Ｌ字脚金具３８が外壁１０に設置される。このＬ字脚金具３８が、Ｔ字脚金具３６の各々に相対する位置に設けられている。
【００２２】
Ｔ字脚金具３６の連結部４２およびＬ字脚金具３８の被連結部４６には、長穴５４，５６が開設されており、重ね合わされた連結部４２および被連結部４６の長穴５４，５６にボルト５８が挿通され、ナット（不図示）が取り付けられることで、Ｔ字脚金具３６とＬ字脚金具３８が連結される。このように連結されることで、容器１２が外壁１０に設置される。なお、Ｔ字脚金具３６およびＬ字脚金具３８は、アルミニウム合金製であり、引き抜き加工して成型されている。
【００２３】
容器１２の内側には、植物を載せる台座６０が設けられている。台座６０は、一対の棚受け６２ａ，６２ｂ、及び棚板６４から構成されている。
【００２４】
棚受け６２ａ，６２ｂは、帯状であって、容器１２の長手方向に長く形成されている。棚受けの一方６２ａは、水平な姿勢で後プレート部１６に溶接されている。棚受けの他方６２ｂは、水平な姿勢で前プレート部１８に溶接されている。一対の棚受け６２ａ，６２ｂは、同一高さに配されており、互いの間はあいて開口が形成されている。一対の棚受け６２ａ，６２ｂ上に棚板６４が載せられている。
【００２５】
棚板６４は、帯状であって、その幅が前プレート部１８と後プレート部１６の間隔と同じであり、その長さが一対の横プレート部２０の間隔と同じである。この棚板６４は、容器１２内に嵌め込まれて、一対の棚受け６２ａ，６２ｂ上にまたがって配される。また、棚板６４には、上記開口の上方に、直径１０ｍｍ程度の円形の貫通穴６６が複数個所に形成されている。なお、貫通穴６６は、上記開口の上方だけでなく、棚板６４の全面に開設されてもよい。
【００２６】
棚板６４により区分けされた内部空間の上部には、用土６８が入れられており、植物が植えられる。なお、用土６８が、貫通穴６６を通って落ちないように、棚板６４上に透水性を有するシート７０を敷くのが好ましい。また、棚板６４上にプランターを載せてもよい。
【００２７】
本実施形態の植物栽培装置１は、建物の外壁１０に設置されているので、雨に晒されて、容器１２内に雨が降り注ぐこととなる。多量の雨が容器１２内に注がれたときには、雨水は貫通穴６６を通って、容器１２の内部空間の下部へと落ちる。このように、棚板６４に開設された貫通穴６６は、雨水などの水分を内部空間の下部に落とす水抜きとなっている。そして、本実施形態の植物栽培装置１によれば、用土６８から余分な水を排水できるので、植物の根腐れを防止することができる。
【００２８】
また、内部空間の下部へ落ちた雨水は、底プレート部１４上に落ちる。このように底プレート部１４は、棚板６４から落ちた水を受ける水受けとなっている。そして、底プレート部１４上に落ちた水は、底プレート部１４を伝って排水口２８から容器１２の外へ排出される。よって、本実施形態の植物栽培装置１は、容器１２内に水溜まりができないので、害虫の発生を防止することができる。また、衛生的である。
【００２９】
本実施形態の植物栽培装置１は、さらに、容器１２の内部空間の上部に横架部７２が設けられている。横架部７２は、棒状であって、その両端が前プレート部１８および後プレート部１６に溶接により接合されている。このような横架部７２が容器１２の長手方向に所定間隔で並んでいる。複数の横架部７２を備えることで、容器１２の強度を向上させることができる。
【００３０】
本実施形態の植物栽培装置１は、さらに、容器１２の外側に格子体７４が設置されている。格子体７４は、底枠部７６、前枠部７８、及び横枠部８０を有している。
【００３１】
底枠部７６は、容器１２の長手方向に長い方形であり、水平な姿勢で容器１２の下方に配置されている。底枠部７６の枠内には、複数の横棒部８２が設けられている。横棒部８２は、長手を水平方向かつ外壁１０に向けて、容器１２の長手方向に所定間隔で並んでおり、その両端が底枠部７６に溶接されている。
【００３２】
前枠部７８は、容器１２の長手方向に長い方形であり、鉛直な姿勢で容器１２の前方に配置されている。前枠部７８の枠内には、複数の縦棒部８４が溶接されている。複数の縦棒部８４は、長手を鉛直方向に向けて、容器１２の長手方向に所定間隔で並んでおり、その両端が前枠部７８に溶接されている。横枠部８０は、方形であり、鉛直に向けた状態で容器１２の左右に配置されている。
【００３３】
縦棒部８４および横棒部８２の各々には、平板状の方形金具８６，８８が溶接されている。方形金具８６，８８は容器１２に向かって延出しており、長穴９０，９２が開設されている。この方形金具８６，８８の各々に相対する複数のＴ字脚金具９４，９６が、容器１２の前プレート部１８および底プレート部１４に設けられている。
【００３４】
Ｔ字脚金具９４は、溶接により前プレート部１８に接合される接合部９８、及び接合部９８の中心から前方に延出する被連結部１００を有している。Ｔ字脚金具９６は、溶接により底プレート部１４に接合される接合部１０２、及び接合部１０２の中心から下方に延出する被連結部１０４を有している。各Ｔ字脚金具９４，９６の被連結部１００，１０４には、方形金具８６，８８に開設されている長穴９０，９２に対応する位置に、長穴１０６，１０８が開設されている。方形金具８６，８８の長穴９０，９２とＴ字脚金具９４，９６の長穴１０６，１０８に挿通されたボルト１１０に、ナット１１２が取り付けられており、これにより、格子体７４が容器１２に取り付けられている。
【００３５】
格子体７４が容器１２に取り付けられることで、容器１２の剛性が高まり、用土６８の重みや地震による容器１２の変形を防止することができる。
【００３６】
さらに、本実施形態の植物栽培装置１は排水管１１４を備えている。排水管１１４は、その一端が容器１２の排水口２８に接続されており、他端が他の排水管１７４に接続されている。この他の排水管１７４は建物の竪樋１１６に通じている。排水管１１４，１７４を備えることで、容器１２から排出される余分な水が排水管１１４，１７４および竪樋１１６を流れて、排水される。
【００３７】
さらに、本実施形態の植物栽培装置１は、用土６８上に散水ヘッド１１８が配されている。散水ヘッド１１８は、円筒状であり、筒軸が容器１２の長手方向を向いている。散水ヘッド１１８の一端から他端にかけて複数の小穴１２０が開設されている。散水ヘッド１１８の一端は閉じられており、他端はホース１２２を介して水道の蛇口（不図示）に通じている。蛇口から出た水が、ホース１２２内を流れて、散水ヘッド１１８の複数の小穴１２０から放出されることで、容器１２内に散水される。このような散水ヘッド１１８およびホース１２２は、容器１２内に散水する散水装置として機能している。
【００３８】
散水装置は、図４に示すように、電気的に駆動されるバルブ１２４を蛇口と散水ヘッド１１８の間に備えてもよい。バルブ１２４は、マイクロコンピュータ１２６の出力端子１２８に接続されており、当該出力端子１２８からの信号に基づいて、バルブ１２４の開閉を行う。マイクロコンピュータ１２６は、中央処理装置（以下、「ＣＰＵ」と称し、符号"１３０"を付す。）、プログラムが記憶された記憶装置１３２、及び複数の端子を有している。複数の端子は、上記の出力端子１２８の他に、リアルタイムクロック（以下、「ＲＴＣ」と称し、符号"１３４"を付す。）からの信号が入力される入力端子１３６を有している。ＣＰＵ１３０は、記憶装置１３２からプログラムをロードして、次の処理をおこなう。
【００３９】
ＣＰＵ１３０は、周期的にＲＴＣ１３４からの信号を取得し、当該信号を解析して現在時刻を取得する。取得した現在時刻が散水時刻に達すると、ＣＰＵ１３０は、出力端子１２８を制御して、バルブ１２４を開ける開放信号を出力する。なお、散水時刻は、散水を開始する時刻であって、予めプログラムに定められている。よって、所定の時刻になると、蛇口からの水が散水ヘッド１１８に供給されて、散水が開始される。
【００４０】
さらに、ＣＰＵ１３０は、周期的にＲＴＣ１３４から入力された信号に基づいて現在時刻を取得する。この現在時刻が終了時刻に達すると、ＣＰＵ１３０は、出力端子１２８を制御して、バルブ１２４を閉じる閉鎖信号を出力する。なお、終了時刻は、散水を終了する時刻であって、予めプログラムに定められている。よって、所定の時刻になると、蛇口から散水ヘッド１１８に流れる水が遮断されて、散水が終了する。このように、バルブ１２４、マイクロコンピュータ１２６、及びＲＴＣ１３４は、自動で散水を開始し、また散水を終了させる散水制御手段として機能している。散水制御手段を有する植物栽培装置１は、自動で散水されるので、水やりを忘れることがない。
【００４１】
また、本実施形態の植物栽培装置１は、窓２２の上下間に張設された複数のワイヤー１３８を有している。ワイヤー１３８の上端部は、窓上の外壁１０に設置されたＬ字脚金具１４０に取り付けられている。Ｌ字脚金具１４０は、窓２２の幅方向に延びる帯状の被固定部１４２と、被固定部１４２から前方に延出している帯状の取付部１４４と、を有している。被固定部１４２には複数の貫通穴（不図示）が開設されており、窓上の外壁１０に埋め込まれた複数のアンカーボルト（不図示）が当該貫通穴に通される。そして、ナット１４６がアンカーボルトに取り付けられることで、Ｌ字脚金具３８が窓上の外壁１０に設置される。取付部１４４には、複数の貫通穴１４８が、所定の間隔で開設されている。ワイヤー１３８の上端部は、貫通穴１４８に通されて、取付部１４４に括りつけられる。
【００４２】
ワイヤー１３８の下端部は、後プレート部１６上に設置された角棒１５０に取り付けられている。角棒１５０は、後プレート部１６の上部に形成された折曲部１５２に沿って、容器１２の長手方向に延びており、折曲部１５２に溶接されている。角棒１５０には、所定の間隔で複数の貫通穴１５４が開設されている。ワイヤー１３８の下端部は、当該貫通穴１５４に通されて、角棒１５０に括りつけられる。用土６８につる植物１５６が植えられると、つる植物１５６がワイヤー１３８に巻き付きながら上方に成長する。このようにつる植物１５６が成長することで、窓面が緑化され、つる植物１５６を、日差しを遮るカーテンとして機能させることができる。
【００４３】
また、本実施形態の植物栽培装置１は、容器１２（以下、「主容器１２」という）に取り付けられる付属容器１５８を有してもよい。付属容器１５８は、主容器１２よりも小さい角形のアルミニウム合金製容器であって、その前プレート部１６０が、他の側プレート部よりも上方に長く延出している。前プレート部１６０の先端部は、前方かつ下方に折れ曲る折曲部１６２を形成しており、当該折曲部１６２が主容器１２の前プレート部１８の先端に形成された折曲部１６４に嵌め込まれる。
【００４４】
付属容器１５８内には、用土６８が入れられており、植物が植えられる。また、付属容器１５８内には植物が植えられた小鉢が入れられてもよい。このような植物栽培装置１によれば、主容器１２でつる植物１５６を栽培して窓面を緑化しつつ、付属容器１５８で花を育てることができる。
【００４５】
本発明の植物栽培装置は、上記の実施形態に限定されず、図５および図６に示す態様であってもよい。
【００４６】
この植物栽培装置３は、窓２２の幅方向に長く形成された角形の容器１６６を備えている。容器１６６の内側には、台座６０が設けられている。台座６０は、水平な姿勢で設けられる棚板６２と、この棚板６２を受ける棚受け６２ａ，６２ｂと、から構成される。棚板６２には、複数の貫通穴６６が開設されている。
【００４７】
台座６０の下方には、傾斜板１６８が設けられている。傾斜板１６８は、容器１６６の内側に広がっており、短縁の一方１７０が他方１７２よりも下がった姿勢で、容器１６６の内面に溶接されている。また、短縁の一方１７０の近傍には排水口２８が形成されている。
【００４８】
排水口２８には排水管１１４が接続されている。排水管１１４は、容器１６６の底に開設された穴を通って、容器１６６外に垂下している。排水管１１４の下部には、建物の竪樋（不図示）に繋がった他の排水管１７４が接続されている。
【００４９】
上記の容器１６６は、窓下の外壁１０に設置された格子体１７６内に収納されている。格子体１７６は、容器１６６の周りに設けられる底枠部１７８、前枠部１８０、後枠部１８２、及び横枠部１８４を有している。
【００５０】
底枠部１７８は、容器１６６の長手方向に長い方形であり、水平な姿勢で容器１６６の外底面１８６側に設けられている。底枠部１７８の枠内には、複数の横棒部１８８が溶接されている。複数の横棒部１８８は、長手を水平方向かつ外壁１０に向けた状態で、所定の間隔をあけて並べられている。
【００５１】
前枠部１８０は、容器１６６の長手方向に長い方形であり、鉛直姿勢で容器１６６の前面１９０側に設けられている。後枠部１８２は、容器１６６の長手方向に長い方形であり、鉛直姿勢で容器１６６の後面１９２側に設けられている。横枠部１８４は、方形であり、鉛直姿勢で容器１６６の左面１９４側および右面１９６側に設けられている。
【００５２】
前枠部１８０、後枠部１８２、及び横枠部１８４の枠内には、複数の縦棒部１９８が形成されている。後枠部１８２の枠内の縦棒部１９８には、Ｌ字脚金具３８の一方の板部２００が溶接されている。このＬ字脚金具３８の他方の板部２０２には、貫通穴４８が形成されており、外壁１０に設けられたアンカーボルト５０が貫通穴４８に通されてナット５２により固定される。このようにして格子体１７６が外壁１０に設置される。
【００５３】
このような植物栽培装置３によれば、格子体１７６を外壁１０に設置し、この格子体１７６に容器１６６を嵌め込めばよいので、上記植物栽培装置１に比べて施工が簡単である。
【００５４】
また、ワイヤー１３８の下端部を取り付ける取付金具２０４を外壁１０に設置してもよい。取付金具２０４は、外壁１０に固定される被固定部２０６を有している。被固定部２０６には貫通穴２０８が開設されており、外壁１０に設けられたアンカーボルト５０が当該貫通穴２０８に通されてナット５２が取り付けられる。被固定部２０６の上部から前方に向かって取付部２１０が形成されている。取付部２１０には、ワイヤー１３８が挿通される穴（不図示）が開設されており、ワイヤー１３８の下端部が当該穴に通されて括りつけられる。
【００５５】
本発明はその趣旨を逸脱しない範囲で、当業者の知識に基づき種々の改良、修正、変形を加えた態様で実施し得るものであり、これらの態様はいずれも本発明の範囲に属するものである。
【００５６】
例えば、水受けは、排水口２８に向かって下方に傾斜する傾斜部を有していれば、種々の態様を採用することができる。例えば、水受けは、山折り状に形成された傾斜面を有し、その下部の両方に排水口を設けてもよい。他には、水受けは、谷折り状に形成された傾斜面を有し、その下部に排水口を設けてもよい。また、傾斜部は、平坦な面に限られず、樋状に湾曲した面であってもよい。さらに、傾斜部は、排水口に向かって傾斜する傾斜溝であってもよい。
【００５７】
容器１２を外壁１０に設置する設置具として、Ｔ字脚金具３６やＬ字脚金具３８を用いたが、他の形状の金具を用いてもよい。また、単一の金具を用いて容器１２を外壁１０に設置してもよい。また、格子体１７６を外壁１０に設置する設置具も同様に、Ｌ字脚金具３８に限定されず、他の形状の金具を用いてもよい。
【００５８】
アルミニウム合金から成る容器１２，１６６、Ｔ字脚金具３６、Ｌ字脚金具３８、格子体７４，１７６、付属容器１５８は、腐食を防止するとともに、美観を保つために、電解着色塗装を施すのが好ましい。また、これの部材は、ステンレスなどの他の金属を用いてもよい。
【００５９】
図２および図３に示すように、格子体７４の外側に化粧板２１２を取り付けてもよい。また、化粧板２１２の外側にルーバー状の部材２１４を取り付けてもよい。
【符号の説明】
【００６０】
１，３  …  植物栽培装置
１０  …  外壁
１４  …  底プレート部
２２  …  窓
２８  …  排水口
６０  …  台座
６６  …  貫通穴
１１４，１７４  …  排水管
１１６  …  竪樋
１１８  …  散水ヘッド
１５６  …  植物
【図１】
2017112966.tif 000003
【図２】
2017112966.tif 000004
【図３】
2017112966.tif 000005
【図４】
2017112966.tif 000006
【図５】
2017112966.tif 000007
【図６】
2017112966.tif 000008